(57)【要約】【課題】携帯端末を用いて画像処理装置による画像処理を行う際の操作性を向上させるための技術を提供する。【解決手段】通信範囲内に存在する画像処理装置と近接無線通信を行うことが可能な携帯端末において、携帯端末の姿勢が縦向きであるか横向きであるかが判定される（Ｓ１０８）。そして、近接無線通信の通信範囲内に画像処理装置が存在している際の携帯端末の姿勢に応じて、画像処理装置に送信される送信画像が決定される（Ｓ１１０，Ｓ１１４）。つまり、携帯端末が画像処理装置に近づけられる際の携帯端末の姿勢に応じて、送信画像が決定される。これにより、携帯端末での処理対象の画像を選択するためのユーザ操作を省くことが可能となり、携帯端末を用いて画像処理装置による画像処理を行う際の操作性が向上する。【選択図】図７
2014197360.tif 000002
【特許請求の範囲】
【請求項１】
通信範囲内に存在する画像処理装置と近接無線通信を行う近接無線通信部と、
携帯端末の姿勢に基づくセンサ情報を出力するセンサと、
複数の画像情報を含むことが可能な画像情報セットを記憶する記憶部と、
を備える携帯端末のコンピュータが読み取り可能なプログラムであって、
前記コンピュータを、
前記センサが出力したセンサ情報を取得するセンサ情報取得手段と、
前記記憶部に記憶されている前記画像情報セットに含まれる前記複数の画像情報のうちの、前記画像処理装置に送信する画像情報である送信画像情報を、前記近接無線通信の通信範囲内に前記画像処理装置が存在している際に前記センサ情報取得手段によって取得されたセンサ情報が示す前記携帯端末の姿勢に基づいて決定する画像情報決定手段と、
して機能させることを特徴とするプログラム。
【請求項２】
前記コンピュータを、
前記センサ情報取得手段によって取得されたセンサ情報を、前記センサ情報取得手段によって取得されたセンサ情報が示す前記携帯端末の姿勢が変化する毎に、前記記憶部に記憶させるセンサ情報記憶手段として機能させ、
前記画像情報決定手段は、
前記送信画像情報を、前記近接無線通信の通信範囲内に前記画像処理装置が存在している際に前記記憶部に記憶されているセンサ情報が示す前記携帯端末の姿勢に基づいて決定することを特徴とする請求項１に記載のプログラム。
【請求項３】
前記画像情報決定手段は、
前記近接無線通信の通信範囲内に前記画像処理装置が存在している際に前記センサ情報取得手段によって取得されたセンサ情報が示す前記携帯端末の姿勢が第１の姿勢である場合に、前記画像情報セットに含まれる全ての前記複数の画像情報を、前記送信画像情報として決定し、前記近接無線通信の通信範囲内に前記画像処理装置が存在している際に前記センサ情報取得手段によって取得されたセンサ情報が示す前記携帯端末の姿勢が第２の姿勢である場合に、前記画像情報セットに含まれる前記複数の画像情報のうちの一部の特定の画像情報を、前記送信画像情報として決定することを特徴とする請求項１または２に記載のプログラム。
【請求項４】
前記携帯端末は、
前記画像情報セットに含まれる前記複数の画像情報のなかから任意の画像情報を選択するためのユーザ操作を受け付ける受付部を備え、
前記画像情報決定手段は、
前記近接無線通信の通信範囲内に前記画像処理装置が存在している際に前記センサ情報取得手段によって取得されたセンサ情報が示す前記携帯端末の姿勢が前記第２の姿勢である場合に、前記画像情報セットに含まれる前記複数の画像情報のうちの前記受付部により受け付けられたユーザ操作で選択された画像情報を、前記送信画像情報として決定することを特徴とする請求項３に記載のプログラム。
【請求項５】
前記コンピュータを、
前記送信画像情報の前記画像処理装置への送信を確定するための条件が満たされているか否かを判定する判定手段と、
前記画像情報決定手段によって前記送信画像情報が決定され、かつ、前記判定手段によって前記送信画像情報の前記画像処理装置への送信を確定するための条件が満たされていると判定された場合に、前記画像情報決定手段によって決定されている前記送信画像情報を、前記画像処理装置に出力させる送信画像情報出力手段と、
して機能させることを特徴とする請求項１ないし４の何れか１項に記載のプログラム。
【請求項６】
前記判定手段は、
前記近接無線通信の通信範囲内に前記画像処理装置が、所定の時間内に複数回進入したことを条件として、前記送信画像情報の前記画像処理装置への送信を確定するための条件が満たされていると判定することを特徴とする請求項５に記載のプログラム。
【請求項７】
前記判定手段は、
前記近接無線通信の通信範囲内に前記画像処理装置が、所定の時間の間、継続して存在していることを条件として、前記送信画像情報の前記画像処理装置への送信を確定するための条件が満たされていると判定することを特徴とする請求項５に記載のプログラム。
【請求項８】
前記携帯端末は、
前記近接無線通信部による前記近接無線通信より通信距離の長い長距離無線通信を前記画像処理装置と行う長距離無線通信部を有し、
前記送信画像情報出力手段は、
前記画像情報決定手段によって前記送信画像情報が決定され、かつ、前記判定手段によって前記送信画像情報の前記画像処理装置への送信を確定するための条件が満たされていると判定された場合に、前記画像情報決定手段によって決定されている前記送信画像情報を、前記長距離無線通信を介して前記画像処理装置に出力させることを特徴とする請求項５ないし７の何れか１項に記載のプログラム。
【請求項９】
前記携帯端末は、
画像を表示する表示部を有し、
前記コンピュータを、
前記近接無線通信の通信範囲内に前記画像処理装置が存在している場合に、前記画像情報決定手段によって決定されている前記送信画像情報を認識できる画像を、前記表示部に表示するための画像情報を出力する表示画像情報出力手段として機能させることを特徴とする請求項１ないし８の何れか１項に記載のプログラム。
【請求項１０】
通信範囲内に存在する画像処理装置と近接無線通信を行う近接無線通信部と、
携帯端末の姿勢に基づくセンサ情報を出力するセンサと、
複数の画像情報を含むことが可能な画像情報セットを記憶する記憶部と、
プロセッサと、
を備える携帯端末であって、
前記プロセッサは、
前記センサが出力したセンサ情報を取得するセンサ情報取得手段と、
前記記憶部に記憶されている前記画像情報セットに含まれる前記複数の画像情報のうちの、前記画像処理装置に送信する画像情報である送信画像情報を、前記近接無線通信の通信範囲内に前記画像処理装置が存在している際に前記センサ情報取得手段によって取得されたセンサ情報が示す前記携帯端末の姿勢に基づいて決定する画像情報決定手段と、
して機能することを特徴とする携帯端末。
【発明の詳細な説明】
【技術分野】
【０００１】
本発明は、画像処理装置に画像情報を送信する携帯端末および、携帯端末のコンピュータが読み取り可能なプログラムに関する。
【背景技術】
【０００２】
近年、ＮＦＣ（Near Field Communicationの略）等の近接無線通信方式が提案されている。これらの近接無線通信の技術によって、通信対象の装置同士を近接させるだけで無線データ通信が行われる。
【０００３】
具体的には、下記特許文献に記載されているように、通信装置１と通信装置２との間でデータが送受信される際に，通信装置１は，始めに近距離無線通信、つまり、ＮＦＣ方式の無線データ通信によって通信装置２から通信方式と暗号化方式とを取得する。そして，取得した通信方式および暗号化方式が通信装置１に定められた通信方式および暗号化方式に合致した場合には，ＮＦＣよりも高速でデータの送受信を行うことが可能な通信方式で、通信装置２とデータ通信を行うことが開示されている。
【先行技術文献】
【特許文献】
【０００４】
【特許文献１】特開２００７−１６６５３８号公報
【発明の概要】
【発明が解決しようとする課題】
【０００５】
しかしながら、上記特許文献に記載の技術には次のような問題があった。詳しくは、スマートフォン，タブレットＰＣ等の携帯端末と、画像処理装置とを近接させて、近接無線通信を確立させたとしても、無線通信確立後の画像処理のために、画像処理指示等のユーザ操作が必要なため、操作性が低い。本発明は、そのような事情に鑑みてなされたものであり、近接無線通信を用いて画像処理装置による画像処理を行う際の操作性を向上させるための技術を提供する。
【課題を解決するための手段】
【０００６】
上記課題を解決するために、本明細書の実施形態として記載のプログラムは、通信範囲内に存在する画像処理装置と近接無線通信を行う近接無線通信部と、携帯端末の姿勢に基づくセンサ情報を出力するセンサと、複数の画像情報を含むことが可能な画像情報セットを記憶する記憶部と、を備える携帯端末のコンピュータが読み取り可能なプログラムであって、前記コンピュータを、前記センサが出力したセンサ情報を取得するセンサ情報取得手段と、前記記憶部に記憶されている前記画像情報セットに含まれる前記複数の画像情報のうちの、前記画像処理装置に送信する画像情報である送信画像情報を、前記近接無線通信の通信範囲内に前記画像処理装置が存在している際に前記センサ情報取得手段によって取得されたセンサ情報が示す前記携帯端末の姿勢に基づいて決定する画像情報決定手段と、して機能させることを特徴とする。
【０００７】
また、上記課題を解決するために、本明細書の実施形態として記載の携帯端末は、通信範囲内に存在する画像処理装置と近接無線通信を行う近接無線通信部と、携帯端末の姿勢に基づくセンサ情報を出力するセンサと、複数の画像情報を含むことが可能な画像情報セットを記憶する記憶部と、プロセッサと、を備える携帯端末であって、前記プロセッサは、前記センサが出力したセンサ情報を取得するセンサ情報取得手段と、前記記憶部に記憶されている前記画像情報セットに含まれる前記複数の画像情報のうちの、前記画像処理装置に送信する画像情報である送信画像情報を、前記近接無線通信の通信範囲内に前記画像処理装置が存在している際に前記センサ情報取得手段によって取得されたセンサ情報が示す前記携帯端末の姿勢に基づいて決定する画像情報決定手段と、して機能することを特徴とする。
【発明の効果】
【０００８】
本明細書の実施形態として記載の携帯端末若しくは、プログラムでは、送信画像の決定に対応する姿勢で携帯端末を画像処理装置に近接させるだけで、近接無線通信確立後に、携帯端末で印刷対象の画像情報を選択するためのユーザ操作をする必要なく、画像処理装置による画像処理を行うことができるので、操作性がよい。
【０００９】
本明細書の実施形態として記載の携帯端末等では、画像処理装置が携帯端末との近接無線通信の通信範囲に存在する際に、携帯端末を送信画像の決定に対応する姿勢にするだけで、携帯端末で印刷対象の画像情報を選択するためのユーザ操作をする必要なく、画像処理装置による画像処理を行うことができるので、操作性がよい。また、画像処理装置が携帯端末との近接無線通信の通信範囲に存在する際に携帯端末の姿勢が変化しても、姿勢に対応して送信画像を決定することが可能となるので、操作性がよい。
【００１０】
本明細書の実施形態として記載の携帯端末等では、画像処理装置が携帯端末との近接無線通信の通信範囲に存在する際に、携帯端末を全画像処理と選択画像処理との何れかに対応する姿勢にさせるだけで、全画像処理と選択画像処理との何れかを容易に選択することが可能となるので、操作性がよい。
【００１１】
本明細書の実施形態として記載の携帯端末等では、携帯端末の姿勢を、携帯端末で選択された画像を印刷する処理に対応する姿勢にするだけで、携帯端末で選択された画像を容易に、画像処理装置で処理することが可能となるので、操作性がよい。
【００１２】
本明細書の実施形態として記載の携帯端末等では、ユーザが意識して所定の条件を満たさない限り、送信画像は、携帯端末から画像処理装置に送信されず、画像処理は行われない。これにより、ユーザの意識しない画像処理、つまり、誤った画像処理の発生を抑制することが可能となるので、操作性がよい。
【００１３】
本明細書の実施形態として記載の携帯端末等では、ユーザが意識して携帯端末を所定回数画像処理装置に近づけない限り、上記条件は満たされないことから、誤った画像処理の発生を確実に抑制することが可能となるので、操作性がよい。
【００１４】
本明細書の実施形態として記載の携帯端末等では、ユーザが意識して携帯端末を所定時間画像処理装置に近づけ続けない限り、上記条件は満たされないことから、誤った画像処理の発生を確実に抑制することが可能となるので、操作性がよい。
【００１５】
本明細書の実施形態として記載の携帯端末等では、送信画像が決定され、かつ、所定の条件が満たされた場合に、携帯端末を画像処理装置から離間しても、決定されている送信画像に関する情報を長距離無線通信によって、画像処理装置に出力することが可能であるので、操作性がよい。
【００１６】
本明細書の実施形態として記載の携帯端末等では、近接無線通信の通信範囲内に画像処理装置が存在している場合に、決定された送信画像を認識可能な状態で表示部に表示することにより、ユーザは、選択された画像を確認し、携帯端末の姿勢を変化させるなど、即時対処することが可能となるので、操作性がよい。
【図面の簡単な説明】
【００１７】
【図１】通信システム１のブロック図である。
【図２】携帯電話１０のパネル２２への画像１００の表示態様を示す図である。
【図３】縦向きの姿勢の携帯電話１０のパネル２２への画像１００の表示態様を示す図である。
【図４】横向きの姿勢の携帯電話１０のパネル２２への画像１００の表示態様を示す図である。
【図５】通信システム１での印刷処理時のシーケンス図である。
【図６】携帯電話１０の動作フローチャートを示す図である。
【図７】携帯電話１０の動作フローチャートを示す図である。
【図８】携帯電話１０の動作フローチャートを示す図である。
【図９】第２実施形態の通信システム１での印刷処理時のシーケンス図である。
【図１０】第３実施形態の通信システム１での印刷処理時のシーケンス図である。
【図１１】変形例において横向きの姿勢の携帯電話１０のパネル２２への画像１００の表示態様を示す図である。
【発明を実施するための形態】
【００１８】
＜第１実施形態＞
図１に、本願に係る第１実施形態として例示される通信システム１のブロック図を示す。通信システム１は、携帯電話１０、ＭＦＰ（Multifunction Peripheralの略）５０を備える。携帯電話１０、および、ＭＦＰ５０は、既知の無線ＬＡＮ端末装置としての機能を備える。また、ＭＦＰ５０は、プリンタ機能、スキャナ機能、コピー機能、ファクシミリ機能などを備える多機能周辺装置である。
【００１９】
携帯電話１０の構成について説明する。携帯電話１０は、ＣＰＵ（Central Processing Unitの略）１２、記憶部１４、無線ＬＡＮＩ／Ｆ１８、ＮＦＣＩ／Ｆ２０、パネル２２、ボタン入力部２４、傾きセンサ２６、スピーカ２８、マイク３０を主に備えている。これらの構成要素は、入出力ポート３１を介して互いに通信可能とされている。
【００２０】
無線ＬＡＮＩ／Ｆ１８は、ＩＥＥＥの８０２．１１の規格およびそれに準ずる規格に基づいて、ＷｉＦｉダイレクト（登録商標）方式（ＷＦＤ方式と略して記載する場合もある）の無線通信９０を行うことが可能とされている。すなわち、携帯電話１０は、ＭＦＰ５０が備えるアクセスポイントへアクセスし、ＷＦＤ方式の無線通信９０を行える状態になれば、ＭＦＰ５０と直接、データ通信することが可能になる。
【００２１】
ＮＦＣＩ／Ｆ２０は、ＩＳＯ／ＩＥＣ２１４８１またはＩＳＯ／ＩＥＣ１８０９２の国際標準規格に基づいて、ＮＦＣ方式の無線通信９２を行うことが可能とされている。すなわち、携帯電話１０は、ＮＦＣ方式の無線通信９２を行える状態になれば、ＭＦＰ５０と直接、データ通信することが可能になる。ただし、ＮＦＣ方式の無線通信９２では、ＷＦＤ方式の無線通信９０と比較して、通信距離が短く、通信速度は遅い。
【００２２】
ここで、「データ」および「情報」の文言の定義を説明する。本明細書では、「データ」と「情報」では「情報」を「データ」の上位概念として用いている。そのため、「Ａデータ」を「Ａ情報」と言い換えてもよい。また、「Ａデータ」から複製された、または、変換された「Ｂデータ」は、「Ａデータ」と同等の意味を持って使用される限り「Ａ情報」である。
【００２３】
ＣＰＵ１２は、記憶部１４内のプログラム３２に従って処理を実行する。以降、印刷アプリケーション３２ａなど、プログラムを実行するＣＰＵ１２のことを、単にプログラム名でも記載する場合がある。例えば、「印刷アプリケーション３２ａが」という記載は、「印刷アプリケーション３２ａを実行するＣＰＵ１２が」ということを意味する場合がある。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２４】
記憶部１４は、プログラム３２を記憶する。プログラム３２は、印刷アプリケーション３２ａ、オペレーティングシステム３２ｂ（ＯＳ３２ｂと略して記載する場合もある）を含む。印刷アプリケーション３２ａは、コンテンツデータ記憶領域１４ａに記憶されているコンテンツデータによって表される画像をＭＦＰ５０に印刷させる処理を、ＣＰＵ１２に実行させるためのアプリケーションである。記憶部１４は、コンピュータが読み取り可能なストレージ媒体であってよい。コンピュータが読み取り可能なストレージ媒体とは、ＲＯＭ、ＲＡＭ、フラッシュメモリー、ハードディスクなどのnon-transitoryな媒体である。インターネット上のサーバなどからダウンロードされるプログラムを搬送する電気信号は、non-transitoryな媒体には含まれない。
【００２５】
オペレーティングシステム３２ｂは、印刷アプリケーション３２ａに利用される基本的な機能を提供するプログラムである。ＯＳ３２ｂは、無線ＬＡＮＩ／Ｆ１８、ＮＦＣＩ／Ｆ２０を介して無線通信９０，９２を実行させるためのプログラム、および、記憶部１４，パネル２２，ボタン入力部２４，傾きセンサ２６などを制御するプログラムなどを含む。
【００２６】
また、記憶部１４は、コンテンツデータ記憶領域１４ａを備える。コンテンツデータ記憶領域１４ａは、複数の写真データ、文書データを記憶する領域である。写真データとしては、ＪＰＥＧ方式のデータが記憶されており、文書データとしては、ＰＤＦ方式のデータが記憶されている。写真データは画像データの一例である。また、文書データは、通常、複数のページに対応する複数のページ文書データから構成されている。ページ文書データは画像データの一例である。印刷アプリケーション３２ａは、ＯＳ３２ｂを介して、記憶部１４が記憶しているデータを取得する。
【００２７】
パネル２２は、携帯電話１０の各種機能を表示する表示面を備える。印刷アプリケーション３２ａは、表示用の画像データを出力し、ＯＳ３２ｂを介してパネル２２に表示させる。ボタン入力部２４は、タッチセンサを有し、パネル２２と一体的に構成されており、入力媒体のパネル２２への接近・接触を検出し、ユーザによるボタン操作を受け付ける。印刷アプリケーション３２ａは、ＯＳ３２ｂを介して、ユーザによるボタン操作内容を示すデータを取得する。傾きセンサ２６は、角速度を検出することによって、携帯電話１０が水平面に対して傾いている傾き角度を測定するセンサである。印刷アプリケーション３２ａは、ＯＳ３２ｂを介して、傾きセンサ２６が出力するセンサデータを取得する。
【００２８】
＜携帯電話での画像の閲覧＞
携帯電話１０では、コンテンツデータ記憶領域１４ａに記憶されているコンテンツデータに基づく画像を閲覧することができる。具体的には、携帯電話１０のコンテンツデータ記憶領域１４ａには、コンテンツデータとして、複数のＪＰＥＧ方式の写真データ、および、ＰＤＦ方式の文書データが記憶されている。図２に示すように、所定範囲のコンテンツデータを構成する１以上の画像データに基づく画像１００が、パネル２２に１枚毎に表示される。写真データに基づく画像を表示する場合は、所定グループ内の１以上の写真データに基づく画像が表示される。所定グループ内の写真データとは、１つのフォルダ内の写真データであってもよいし、所定のタグが付けられた写真データでもよい。文書データに基づく画像を表示する場合は、文書データ内の１以上のページ文書データに基づく画像が表示される。なお、複数の画像データの中からユーザが予め選択した１以上の画像データを表示するとしてもよい。画像１００の両側方には、戻りボタン１０２と送りボタン１０４とが表示されている。戻りボタン１０２と送りボタン１０４とは、表示されている画像１００を、順次、切り換えるためのボタンであり、戻りボタン１０２、送りボタン１０４へのタップ操作により任意の画像１００がパネル２２に表示される。このような操作により、ユーザは、コンテンツデータに含まれる１以上の画像データに基づく任意の画像１００を閲覧することができる。すなわち、パネル２２に表示されている画像は、携帯電話１０において選択されている画像データに基づく画像の一例である。
【００２９】
＜ハンドオーバー処理＞
通信システム１では、携帯電話１０で閲覧した任意の画像１００を、ＭＦＰ５０を用いて印刷することが可能である。詳しくは、携帯電話１０をＭＦＰ５０に接近させて、ＮＦＣ方式の無線通信９２を確立させ、ＮＦＣ方式の無線通信９２を利用した印刷（ＮＦＣ印刷と略して記載する場合もある）を行うことが可能である。詳しくは、携帯電話１０のＭＦＰ５０への接近により、携帯電話１０とＭＦＰ５０との距離が、ＮＦＣ方式の無線通信９２の通信範囲内となると、携帯電話１０とＭＦＰ５０との間で、ＮＦＣ方式の初期シーケンス処理が実行され、ＮＦＣ方式の無線通信９２が確立する。ＮＦＣ方式の無線通信９２が確立すると、その無線通信９２を用いて、ＷＦＤ方式の無線通信９０を確立するための接続情報が、携帯電話１０とＭＦＰ５０との間で送受信される。
【００３０】
ＷＦＤ方式の無線通信９０を確立させるのは、ＷＦＤ方式の無線通信９０は、ＮＦＣ方式の無線通信９２より高速でデータの送受信を行うことが可能であり、文書データ若しくは、写真データの送受信は、ＷＦＤ方式の無線通信９０により行うことが好ましいためである。ＷＦＤ方式の無線通信９０は、ＮＦＣ方式の無線通信９２より長距離のデータの送受信を行うことが可能という点でも、文書データ若しくは、写真データの送受信は、ＷＦＤ方式の無線通信９０により行うことが好ましい。
【００３１】
なお、ＮＦＣ方式の無線通信９２を利用して、ＮＦＣ方式よりも高速でデータの送受信を行うことが可能なＷＦＤ方式の無線通信９０に切り換える処理は、ハンドオーバー処理と呼ばれている。以下に、ハンドオーバー処理の実行について説明する。
【００３２】
ＷＦＤ方式の無線通信９０を確立するための接続情報としては、例えば、ＳＳＩＤ（Service Set IDentifierの略）が挙げられ、ＳＳＩＤが携帯電話１０とＭＦＰ５０との間で、ＮＦＣ方式の無線通信９２を利用して、送受信される。つまり、ＮＦＣ方式の無線通信９２が確立すると、まず、携帯電話１０の無線ＬＡＮ  Ｉ／Ｆ１８が使用するＳＳＩＤが、ＮＦＣ方式の無線通信９２によって携帯電話１０からＭＦＰ５０に送信される。
【００３３】
そして、ＭＦＰ５０の無線ＬＡＮ  Ｉ／Ｆ６８にアクセスしＷＦＤ方式の無線通信９０を確立するためのＳＳＩＤが、ＮＦＣ方式の無線通信９２によってＭＦＰ５０から携帯電話１０に送信される。そして、携帯電話１０は、ＭＦＰ５０のＳＳＩＤに基づいて、ＭＦＰ５０との間でＷＦＤ方式の無線通信９０を確立させる。
【００３４】
＜携帯電話の姿勢に応じた印刷処理＞
携帯電話１０とＭＦＰ５０との間でＷＦＤ方式の無線通信９０が確立すると、その無線通信９０を用いて、コンテンツデータに含まれる複数の画像データのうちの任意の画像データが携帯電話１０からＭＦＰ５０に送信され、ＭＦＰ５０で、送信された画像データに基づく画像の印刷処理が行われる。この際、携帯電話１０からＭＦＰ５０に送信される画像データは、携帯電話１０の姿勢に応じて選択される。つまり、印刷対象の画像が、携帯電話１０の姿勢に応じて選択される。
【００３５】
具体的には、傾きセンサ２６が出力するセンサデータに基づいて、携帯電話１０の姿勢が、縦向きの姿勢であるか横向きの姿勢であるかが判定される。センサデータの値が、縦向き、横向きを示す所定の閾値を越えているか否かで姿勢を判定してもよい。ここで、携帯電話１０の縦向きの姿勢とは、図３に示すように、概して矩形の携帯電話１０の長辺がユーザから離間する方向、若しくは、鉛直方向に延び、短辺が、ユーザの左右方向に延びるように配置された携帯電話１０の姿勢である。一方、携帯電話１０の横向きの姿勢とは、図４に示すように、携帯電話１０の短辺がユーザから離間する方向、若しくは、鉛直方向に延び、長辺が、ユーザの左右方向に延びるように配置された携帯電話１０の姿勢である。
【００３６】
そして、携帯電話１０の姿勢が、縦向きの姿勢である場合には、印刷対象の画像、つまり、ＭＦＰ５０に送信すべき送信画像として、パネル２２に表示されている画像１００が選択され、その画像に関する情報が記憶部１４に記憶される。一方、携帯電話１０の姿勢が、横向きの姿勢である場合には、送信画像として、パネル２２に表示されている画像１００を含む所定範囲のコンテンツデータの全ての画像１００が選択され、その全ての画像に関する情報が記憶部１４に記憶される。
【００３７】
なお、傾きセンサ２６が出力するセンサデータは、センサデータの値が変化する毎、つまり、携帯電話１０の姿勢が変化する毎に、記憶部１４に記憶されている。そして、携帯電話１０の姿勢の判定は、携帯電話１０とＭＦＰ５０との距離がＮＦＣ方式の無線通信９２の通信範囲内となっている際に記憶部１４に記憶されているセンサデータに基づいて、行われ、判定された携帯電話１０に姿勢に応じて、送信画像が選択される。つまり、携帯電話１０のＭＦＰ５０への接近により、携帯電話１０が無線通信９２の範囲内に進入した際の携帯電話１０の姿勢に基づいて、送信画像の選択が行われる。ちなみに、携帯電話１０が無線通信９２の範囲内に進入すると、印刷アプリケーション３２ａは、ＯＳ３２ｂを介して出力されるイベントデータを取得する。このため、ＣＰＵ１２がそのイベントデータを取得した際の携帯電話１０の姿勢に基づいて、送信画像の選択が行われる。
【００３８】
そして、携帯電話１０の姿勢に応じた送信画像の選択が行われると、選択された送信画像を示すための画面、つまり、選択された送信画像をユーザによって認識できる画面が、パネル２２に表示される。具体的には、送信画像として、パネル２２に表示されている画像が選択された場合には、図３に示すように、「Ｔｈｉｓ  Ｐａｇｅ  Ｓｅｌｅｃｔｅｄ」とパネル２２に表示される。これにより、ユーザは、パネル２２に表示されている画像が送信画像として選択されたことを認識できる。また、送信画像として、パネル２２に表示されている画像を含むコンテンツデータの全画像が選択された場合には、図４に示すように、「Ａｌｌ  Ｐａｇｅ  Ｓｅｌｅｃｔｅｄ」とパネル２２に表示される。これにより、ユーザは、コンテンツデータの全画像が送信画像として選択されたことを認識できる。
【００３９】
また、携帯電話１０の姿勢に応じた送信画像の選択が行われると、所定の条件が満たされたことを条件として、上述したハンドオーバー処理が実行され、選択された送信画像の画像データが、ＷＦＤ方式の無線通信９０により、ＭＦＰ５０に送信される。詳しくは、所定時間内に、携帯電話１０がＮＦＣ方式の無線通信９２の範囲内に繰返し進入した場合、つまり、ユーザによる携帯電話１０のＭＦＰ５０への接近動作が、所定時間内に繰返し行われた場合（以下、「ダブルタッチが行われた場合」と記載する場合もある）に、所定条件が満たされたと判定される。以下に、所定時間内にダブルタッチが行われた場合について、図５に示すシーケンス図を用いて、説明する。
【００４０】
まず、携帯電話１０の無線通信９２の範囲内への進入により、印刷アプリケーション３２ａは、ＯＳ３２ｂを介して出力されるイベントデータを取得する（Ｍ１００）。そして、印刷アプリケーション３２ａが、イベントデータを取得すると、上述したように、送信画像が、携帯電話１０の姿勢に応じて選択され、選択された送信画像をユーザにより認識可能な画面がパネル２２に表示される（Ｍ１０２）。さらに、印刷アプリケーション３２ａは、取得したイベントデータの取得時刻を記憶部１４に記憶する（Ｍ１０４）。
【００４１】
続いて、携帯電話１０の無線通信９２の範囲内への再度の進入により、印刷アプリケーション３２ａは、再び、ＯＳ３２ｂを介して出力されるイベントデータを取得する（Ｍ１０６）。そして、印刷アプリケーション３２ａは、今回取得したイベントデータの取得時刻と、記憶部１４に記憶されているイベントデータの取得時刻、つまり、前回取得したイベントデータの取得時刻とを比較する（Ｍ１０８）。それら２つの取得時刻の差が、所定時間内である場合には、上記ハンドオーバー処理が実行される（Ｍ１１０〜Ｍ１１４）。そして、印刷アプリケーション３２ａは、送信画像の画像データを、ＷＦＤ方式の無線通信９０により、ＭＦＰ５０に送信する（Ｍ１１６）。これにより、ＭＦＰ５０では、受信した送信画像の画像データに基づく印刷処理が行われる。
【００４２】
なお、Ｍ１０６でイベントデータが取得されなかった場合、および、Ｍ１０８で今回取得したイベントデータの取得時刻と、前回取得したイベントデータの取得時刻とが比較され、それら２つの取得時刻の差が所定時間を超えていた場合には、所定の条件が満たされていないと判定される。所定の条件が満たされていないと判定されてから、携帯電話１０が無線通信９２の範囲内へ進入する（Ｍ１００）と、選択された送信画像をユーザにより認識可能な画面の表示（Ｍ１０２）からやり直しになる。
【００４３】
このように、携帯電話１０のユーザは、携帯電話１０の姿勢を変化させて、携帯電話１０をＭＦＰ５０に接近させるだけで、送信画像を選択するとともに、その選択した画像をＭＦＰ５０によって印刷させることが可能となる。つまり、携帯電話１０では、送信画像の選択等のユーザ操作を省くことが可能となり、ユーザの使い勝手が向上する。
【００４４】
また、所定時間内にダブルタッチが行われたことを条件として、ハンドオーバー処理および、画像データのＭＦＰ５０への送信が行われる。これにより、ユーザが印刷する意図を持って、携帯電話１０をＭＦＰ５０に接近させた場合にのみ、印刷処理が行われるため、誤操作による印刷処理の発生を抑制することが可能となる。
【００４５】
＜印刷アプリケーション＞
上述した印刷処理は、印刷アプリケーション３２ａが携帯電話１０のＣＰＵ１２によって実行されることで行われる。以下に、図６乃至図８を用いて、携帯電話１０の姿勢に応じて選択された画像を、ＭＦＰ５０によって印刷するためのフローを説明する。
【００４６】
携帯電話１０の電源が入り、印刷アプリケーション３２ａが起動されるとメインフローの処理が開始される。メインフローのＳ１００において、ＣＰＵ１２は、所定範囲のコンテンツデータを構成する画像データに基づく画像１００をパネル２２に表示する。＜携帯電話での画像の閲覧＞で述べたように、ＣＰＵ１２は、戻りボタン１０２，送りボタン１０４の操作がなされた場合は、別の画像データに基づく画像１００をパネル２２に表示する。すなわち、ユーザにより選択された画像の画像データを、ＯＳ３２ａを介して出力する。そして、Ｓ１０２に進む。
【００４７】
Ｓ１０２において、ＣＰＵ１２は、傾きセンサ２６から出力されたセンサデータを取得したか否かを判定する。つまり、傾きセンサ２６から出力されたセンタデータを取得したことにより発生したデータを、ＯＳ３２ｂを介して取得したか否かを判定する。センサデータを取得していない場合（Ｓ１０２：ＮＯ）には、Ｓ１０２の処理が繰り返される。一方、センサデータを取得している場合（Ｓ１０２：ＹＥＳ）には、Ｓ１０４に進む。
【００４８】
Ｓ１０４において、ＣＰＵ１２は、携帯電話１０の姿勢が変化したか否かを判定する。つまり、＜携帯電話の姿勢に応じた印刷処理＞で述べたように、ＣＰＵ１２は、取得したセンサデータの値が変化したか否かを判定し、センサデータの値が変化した場合には、携帯電話１０の姿勢が変化したと判定する。携帯電話１０の姿勢が変化していない場合（Ｓ１０４：ＮＯ）には、Ｓ１０７に進む。一方、携帯電話１０の姿勢が変化した場合（Ｓ１０４：ＹＥＳ）には、Ｓ１０６に進む。
【００４９】
Ｓ１０６において、ＣＰＵ１２は、取得したセンサデータを記憶部１４に記憶させるためのデータを、ＯＳ３２ｂを介して出力する。そして、Ｓ１０７に進む。Ｓ１０７において、ＣＰＵ１２は、携帯電話１０がＮＦＣ方式の無線通信９２の範囲内に進入したか否かを判定する。つまり、＜携帯電話の姿勢に応じた印刷処理＞で述べたように、ＣＰＵ１２は、携帯電話１０がＮＦＣ方式の無線通信９２の範囲内に進入したときにＯＳ３２ｂが出力するイベントデータを取得したか否かを判定する。
【００５０】
イベントデータを取得していない場合（Ｓ１０７：ＮＯ）には、Ｓ１０２に戻る。一方、イベントデータを取得している場合（Ｓ１０７：ＹＥＳ）には、Ｓ１０８に進む。Ｓ１０８において、ＣＰＵ１２は、記憶部１４に記憶されているセンサデータに基づいて、携帯電話１０の姿勢を判定し、その携帯電話１０の姿勢を判定する。携帯電話１０の姿勢が横向きの姿勢である場合（Ｓ１０８：横向き）には、Ｓ１１０に進む。Ｓ１１０において、ＣＰＵ１２は、パネル２２に表示されている画像１００を含む所定範囲のコンテンツデータの全ての画像データを、ＭＦＰ５０に送信すべき画像として記憶する。つまり、パネル２２に表示されている画像１００を含むコンテンツデータの全ての画像データの識別情報を記憶部１４に記憶させるためのデータを、ＯＳ３２ｂを介して出力する。そして、Ｓ１１８に進む。
【００５１】
一方、携帯電話１０の姿勢が縦向きの姿勢である場合（Ｓ１０８：縦向き）には、Ｓ１１４に進む。Ｓ１１４において、ＣＰＵ１２は、パネル２２に表示されている画像１００の画像データを、ＭＦＰ５０に送信すべき画像として記憶する。つまり、パネル２２に表示されている画像１００の画像データの識別情報を記憶部１４に記憶させるためのデータを、ＯＳ３２ｂを介して出力する。そして、Ｓ１１８に進む。
【００５２】
Ｓ１１８において、ＣＰＵ１２は、ＭＦＰ５０に送信すべき画像として選択された画像の印刷態様を、パネル２２に表示する。詳しくは、＜携帯電話の姿勢に応じた印刷処理＞で述べたように、ＣＰＵ１２は、ＭＦＰ５０に送信すべき画像としてパネル２２に表示されている画像が選択された場合には、「Ｔｈｉｓ  Ｐａｇｅ  Ｓｅｌｅｃｔｅｄ」とパネル２２に表示させるためのデータを、ＯＳ３２ｂを介して出力する。また、ＭＦＰ５０に送信すべき画像としてコンテンツデータの全ての画像が選択された場合には、「Ａｌｌ  Ｐａｇｅ  Ｓｅｌｅｃｔｅｄ」とパネル２２に表示させるためのデータを、ＯＳ３２ｂを介して出力する。そして、Ｓ１２０に進む。
【００５３】
Ｓ１２０において、ＣＰＵ１２は、所定の条件が満たされたか否かを判定する。詳しくは、＜携帯電話の姿勢に応じた印刷処理＞で述べたように、ＣＰＵ１２は、携帯電話１０がＮＦＣ方式の無線通信９２の範囲内に進入したときにＯＳ３２ｂが出力するイベントデータを、所定の時間内に２回取得したか否かを判定する。つまり、Ｓ１０７でイベントデータを取得してから所定時間内に、再度、イベントデータを取得した場合に、所定の条件が満たされたと判定される。
【００５４】
所定の条件が満たされていない場合（Ｓ１２０：ＮＯ）には、Ｓ１０２に戻る。一方、所定の条件が満たされている場合（Ｓ１２０：ＹＥＳ）には、Ｓ１２２に進む。Ｓ１２２において、ＣＰＵ１２は、＜ハンドオーバー処理＞に述べた処理を実行する。そして、Ｓ１２４に進む。Ｓ１２４において、ＣＰＵ１２は、ＭＦＰ５０に送信すべき画像として記憶部１４に記憶されている画像データおよび、その画像データに基づく画像の印刷指令をＷＦＤ方式の無線通信９０によってＭＦＰ５０に送信する。つまり、ＣＰＵ１２は、無線ＬＡＮＩ／Ｆ１８がＷＦＤ方式の無線通信９０によってＭＦＰ５０に送信するよう、画像データおよび、その画像データに基づく画像の印刷指令を、ＯＳ３２ｂを介して出力する。そして、印刷アプリケーション３２ａの実行が終了する。
【００５５】
＜第２実施形態＞
第２実施形態に係る通信システム１の動作を説明する。なお、第２実施形態における通信システム１の構成は、第１実施形態における通信システム１の構成と同じであるため、ここでは説明を省略する。
【００５６】
第１実施形態の通信システム１では、所定時間内にダブルタッチが行われた場合に、ハンドオーバー処理の実行および、送信画像の画像データのＭＦＰ５０への送信が行われるが、第２実施形態の通信システム１では、ユーザによる携帯電話１０のＭＦＰ５０への接近動作が、所定時間継続した場合（以下、「ロングタッチが行われた場合」と記載する場合もある）に、ハンドオーバー処理の実行および、送信画像の画像データのＭＦＰ５０への送信が行われる。ロングタッチが行われる場合とは、携帯電話１０がＮＦＣ方式の無線通信９２の範囲内に、所定時間内継続して存在することであり、ロングタッチが行われる場合について、図９に示すシーケンス図を用いて、説明する。
【００５７】
まず、携帯電話１０の無線通信９２の範囲内への進入により、印刷アプリケーション３２ａは、ＯＳ３２ｂを介して出力されるイベントデータを取得する（Ｍ２００）。そして、印刷アプリケーション３２ａが、イベントデータを取得すると、第１実施形態と同様に、送信画像が、携帯電話１０の姿勢に応じて選択され、選択された送信画像をユーザにより認識可能な画面がパネル２２に表示される（Ｍ２０２）。
【００５８】
続いて、印刷アプリケーション３２ａは、携帯電話１０が無線通信９２の範囲内に存在しているのかを示すデータを、ＯＳ３２ｂを介して定期的に、例えば１０ミリ秒ごとに取得する。取得したデータに基づいて、イベントデータを取得してから１秒経過するまで携帯電話１０が無線通信９２の範囲内に存在していることを確認できたか否かを判定する（Ｍ２０４）。そして、イベントデータを取得してから１秒経過するまで携帯電話１０が無線通信９２の範囲内に存在していた場合に、印刷アプリケーション３２ａは、携帯電話１０のＳＳＩＤを、ＮＦＣ方式の無線通信９２によってＭＦＰ５０に送信する。この際、携帯電話１０が無線通信９２の範囲内に存在している場合に、送信された携帯電話１０のＳＳＩＤが、ＭＦＰ５０によって受信され、ＭＦＰ５０は、携帯電話１０のＳＳＩＤの受信により、ＭＦＰ５０のＳＳＩＤを携帯電話１０に返信する（Ｍ２０６）。つまり、携帯電話１０が無線通信９２の範囲内に１秒間継続して存在している場合に、送信された携帯電話１０のＳＳＩＤが、ＭＦＰ５０によって受信され、ハンドオーバー処理が実行されるが、携帯電話１０が無線通信９２の範囲内に１秒間継続して存在していない場合には、送信された携帯電話１０のＳＳＩＤが、ＭＦＰ５０によって受信されず、ハンドオーバー処理は実行されない。
【００５９】
そして、ＭＦＰ５０のＳＳＩＤが携帯電話１０に返信されると、ＷＦＤ方式の無線通信９０が、確立し（Ｍ２１０）、その無線通信９０を用いて、画像データが携帯電話１０からＭＦＰ５０に送信される。このように、第２実施形態の通信システム１では、携帯電話１０がＮＦＣ方式の無線通信９２の範囲内に、所定時間内継続して存在していることを条件として、ハンドオーバー処理の実行および、送信画像の画像データのＭＦＰ５０への送信が行われる。
【００６０】
これにより、第２実施形態においても、第１実施形態と同様に、携帯電話１０をＭＦＰ５０に接近させるだけで、送信画像を選択するとともに、その選択した画像をＭＦＰ５０によって印刷させることが可能となり、ユーザの使い勝手が向上する。また、ロングタッチが行われた場合に、ハンドオーバー処理および、画像データのＭＦＰ５０への送信が行われることで、第１実施形態と同様に、誤操作による印刷処理の発生を抑制することが可能となる。
【００６１】
＜第３実施形態＞
第３実施形態に係る通信システム１の動作を説明する。なお、第３実施形態における通信システム１の構成は、第１実施形態における通信システム１の構成と同じであるため、ここでは説明を省略する。
【００６２】
第１実施形態の通信システム１では、ダブルタッチの判定が、携帯電話１０で行われているが、第３実施形態の通信システム１では、ＭＦＰ５０で行われる。ダブルタッチの判定がＭＦＰ５０で行われる場合について、図１０に示すシーケンス図を用いて、説明する。
【００６３】
まず、携帯電話１０の無線通信９２の範囲内への進入により、印刷アプリケーション３２ａは、ＯＳ３２ｂを介して出力されるイベントデータを取得する（Ｍ３００）。そして、印刷アプリケーション３２ａが、イベントデータを取得すると、第１実施形態と同様に、送信画像が、携帯電話１０の姿勢に応じて選択され、選択された送信画像をユーザにより認識可能な画面がパネル２２に表示される（Ｍ３０２）。そして、印刷アプリケーション３２ａは、イベントデータを取得した旨のメッセージを、ＮＦＣ方式の無線通信９２により、ＭＦＰ５０に送信する（Ｍ３０４）。
【００６４】
ＭＦＰ５０は、メッセージを受信すると、メッセージの取得時刻を記憶する（Ｍ３０６）。続いて、携帯電話１０の無線通信９２の範囲内への再度の進入により、印刷アプリケーション３２ａは、再び、ＯＳ３２ｂを介して出力されるイベントデータを取得する（Ｍ３０８）。そして、印刷アプリケーション３２ａは、再度、イベントデータを取得した旨のメッセージを、ＮＦＣ方式の無線通信９２により、ＭＦＰ５０に送信する（Ｍ３１０）。
【００６５】
ＭＦＰ５０は、今回取得したメッセージの取得時刻と、記憶されているメッセージの取得時刻、つまり、前回取得したメッセージの取得時刻とを比較し（Ｍ３１２）。それら２つの取得時刻の差が、所定時間内であるか否かを判定する。そして、その判定結果を、ＮＦＣ方式の無線通信９２により、携帯電話１０に送信する（Ｍ３１４）。送信された判定結果において、２つの取得時刻の差が、所定時間内である場合には、ハンドオーバー処理が実行される（Ｍ３１６〜Ｍ３２０）。そして、印刷アプリケーション３２ａは、画像データをＷＦＤ方式の無線通信９０により、ＭＦＰ５０に送信する（Ｍ３２２）。これにより、ＭＦＰ５０では、受信した送信画像の画像データに基づく印刷処理が行われる。このように、ＭＦＰ５０でダブルタッチの判定を行うことでも、第１実施形態と同様に、ダブルタッチを適切に判定することができる。
【００６６】
＜変形例＞
本実施形態では、送信画像として、コンテンツデータの全画像が選択された場合に、「Ａｌｌ  Ｐａｇｅ  Ｓｅｌｅｃｔｅｄ」とパネル２２に表示されるが、さらに、図１１に示すように、コンテンツデータの全ての画像１００をパネル２２に表示することが可能である。これにより、ユーザは、選択した画像１００を閲覧するとともに、コンテンツデータの全画像が送信画像として選択されたことを認識できる。なお、「Ａｌｌ  Ｐａｇｅ  Ｓｅｌｅｃｔｅｄ」を表示せずに、コンテンツデータの全ての画像１００をパネル２２に表示することも可能である。
【００６７】
また、本実施形態の携帯電話１０では、携帯電話１０の姿勢が変化する度に、傾きセンサ２６のセンサデータが記憶され、携帯電話１０が無線通信９２の範囲内に進入した場合に、記憶されているセンサデータに基づいて、携帯電話１０の姿勢が判定されているが、種々の手法により、携帯電話１０の姿勢を判定することが可能である。例えば、携帯電話１０が無線通信９２の範囲内に進入した場合に、印刷アプリケーション３２ａがＯＳ３２ｂを介してセンサデータを取得し、取得したセンサデータに基づいて、携帯電話１０の姿勢が判定されてもよい。さらに言えば、携帯電話１０が無線通信９２の範囲内に進入した後に、センサデータを定期的に取得し、取得したセンサデータに基づいて、携帯電話１０の姿勢が判定されてもよい。すなわち、携帯電話１０が無線通信９２の範囲内に進入したあとの携帯電話１０の姿勢変化が、送信画像の選択に活かされることになる。この際のセンサデータは、所定の間隔で自動的に傾きセンサ２６から出力されたものであってもよく、印刷アプリケーション３２ａが能動的にＯＳ３２ｂを介して傾きセンサ２６から取得したものであってもよい。
【００６８】
また、本実施形態の携帯電話１０では、携帯電話１０が無線通信９２の範囲内に進入したか否かの判定は、携帯電話１０の無線通信９２の範囲内への進入により発生するイベントデータを取得したか否かによって判定されているが、種々の手法により判定することが可能である。例えば、ＮＦＣ方式の無線通信９２が確立した場合に発生するデータを取得したか否かによって判定してもよい。
【００６９】
また、携帯電話１０が無線通信９２の範囲内に複数回進入したか否かの判定は、ＮＦＣ方式の無線通信９２が確立した場合に発生するデータを複数回取得したか否かによって判定してもよく、ＮＦＣ方式の無線通信９２が複数回確立した場合に発生するデータを取得したか否かによって判定してもよい。さらに言えば、ＮＦＣ方式の無線通信９２が確立している場合に発生するデータを取得した後に、ＮＦＣ方式の無線通信９２が確立していない場合に発生するデータを取得し、さらに、ＮＦＣ方式の無線通信９２が確立している場合に発生するデータを取得した場合に、携帯電話１０が無線通信９２の範囲内に複数回進入したと判定することが可能である。
【００７０】
また、印刷アプリケーション３２ａにより実行される図６乃至図８のフローにおいて、Ｓ１０６で、センサデータではなく、変化後の携帯電話１０の姿勢を記憶してもよい。その際、Ｓ１０８では、変化後の携帯電話１０の姿勢に基づいて、携帯電話１０の姿勢が判定される。
【００７１】
また、携帯電話１０の姿勢に応じて送信画像を選択可能な携帯端末は、携帯電話１０に限られず、タブレット機器，スマートフォンなどでもよい。
【００７２】
また、携帯電話１０の姿勢に応じて選択された画像の印刷処理を行う装置は、ＭＦＰ５０に限られず、印刷可能な装置であれば限定されない。
【００７３】
また、本発明の技術は、印刷処理だけでなく、種々の画像の処理に適用することが可能である。具体的には、例えば、スキャン，ファックス，コピー、３Ｄ印刷、３Ｄスキャン等、種々の画像処理に適用することが可能である。
【００７４】
また、本実施形態では、近接無線通信として、ＮＦＣ方式の無線通信が採用されているが、ＴｒａｎｓｆｅｒＪｅｔ（登録商標）方式等の無線通信を採用することも可能である。この場合、ハンドオーバー処理により確立される無線通信は、ＴｒａｎｓｆｅｒＪｅｔ方式の無線通信より高速な、種々の無線通信方式を採用することが可能である。この場合、ハンドオーバー処理により確立される無線通信は、ＴｒａｎｓｆｅｒＪｅｔ方式の無線通信より通信可能距離が長い、種々の無線通信方式を採用することが可能である。また、ＴｒａｎｓｆｅｒＪｅｔ方式の無線通信を利用し、ハンドオーバーせず、画像情報などもＴｒａｎｓｆｅｒＪｅｔ方式の無線通信で送受信してもよい。
【００７５】
本実施例の携帯電話１０では、印刷アプリケーション３２ａに基づいて実行するＣＰＵ１２が、各種の処理を行う場合を説明した。しかし、この形態に限られない。印刷アプリケーション３２ａに基づいて実行するＣＰＵ１２が、ＯＳ３２ｂ、他のシステム、ハード構成に対して、各種の処理を行わせる指示を出す形態であってもよい。
【００７６】
また、上記実施例では、印刷アプリケーション３２ａの実行により図６乃至図８に示すフローが実行されるが、そのフローにおいて、Ｓ１０４，Ｓ１０６，Ｓ１１８〜Ｓ１２４の処理を行わないことも可能である。なお、上記処理が行われない場合には、センサデータを取得した場合（Ｓ１０２：ＹＥＳ）に、Ｓ１０７に進む。また、Ｓ１１４若しくは、Ｓ１１０の処理が終了した後に、Ｓ１０４，Ｓ１０６，Ｓ１１８〜Ｓ１２４の処理を行わないフローが終了する。なお、Ｓ１０４，Ｓ１０６，Ｓ１１８〜Ｓ１２４の全ての処理を行わないのではなく、Ｓ１０４，Ｓ１０６，Ｓ１１８〜Ｓ１２４のうち、いずれかの処理を任意に加えたフローとすることも可能である。
【００７７】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【００７８】
携帯電話１０は携帯端末の一例である。ＣＰＵ１２は、コンピュータおよびプロセッサの一例である。記憶部１４は記憶部の一例である。無線ＬＡＮＩ／Ｆ１８は長距離通信部の一例である。ＮＦＣＩ／Ｆ２０は近接無線通信部の一例である。パネル２２は表示部の一例である。傾きセンサ２６はセンサの一例である。印刷アプリケーション３２ａはプログラムの一例である。ＭＦＰ５０は画像処理装置の一例である。戻りボタン１０２および送りボタン１０４は受付部の一例である。
【００７９】
Ｓ１０２を実行するＣＰＵ１２は、センサ情報取得手段の一例である。Ｓ１０６を実行するＣＰＵ１２は、センサ情報記憶手段の一例である。Ｓ１０７〜Ｓ１１４を実行するＣＰＵ１２は、画像情報決定手段の一例である。Ｓ１１８を実行するＣＰＵ１２は、表示画像情報出力手段の一例である。Ｓ１２０を実行するＣＰＵ１２は、判定手段の一例である。Ｓ１２４を実行するＣＰＵ１２は、送信画像情報出力手段の一例である。
【００８０】
なお、各プログラムは一つのプログラムモジュールから構成されるものであってもよいし、複数のプログラムモジュールから構成されるものであってもよい。また、各一例は置換可能な他の構成であってもよく、本発明の範疇である。印刷処理プログラム（印刷アプリケーション３２ａなど）に基づく処理を実行するコンピュータ（ＣＰＵ１２）であってもよいし、オペレーティングシステムや他のアプリケーション、プログラムなど、印刷処理プログラム以外のプログラムに基づく処理を実行するコンピュータであってもよいし、コンピュータの指示に従って動作するハード構成（パネル２２など）であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【符号の説明】
【００８１】
１０：携帯電話、１２：ＣＰＵ、１４：記憶部、１８：無線ＬＡＮＩ／Ｆ、２０：ＮＦＣＩ／Ｆ、２２：パネル、２６：傾きセンサ、３２ａ：印刷アプリケーション、５０：ＭＦＰ、１０２：戻りボタン、１０４：送りボタン
【図１】
2014197360.tif 000003
【図２】
2014197360.tif 000004
【図３】
2014197360.tif 000005
【図４】
2014197360.tif 000006
【図５】
2014197360.tif 000007
【図６】
2014197360.tif 000008
【図７】
2014197360.tif 000009
【図８】
2014197360.tif 000010
【図９】
2014197360.tif 000011
【図１０】
2014197360.tif 000012
【図１１】
2014197360.tif 000013